(57)【要約】本発明に従って、サブピクチャデータは、サブピクチャユニット（ＳＰＵ）に組織化され、サブピクチャユニットは、画素データ領域（ＰＸＤ）内の画素データと、表示制御データ（ＳＰ＿ＤＣＳＱＴ）及び／又はアドレス情報データ（ＳＰＵＨ）とを有し、第２のサブピクチャストリームのサブピクチャユニット（ＳＰＵＨ１、ＰＸＤ１、ＳＰ＿ＤＣＳＱＴ１）は、第１のサブピクチャストリームのサブピクチャユニット（ＳＰＵ）の画素データ領域（ＰＸＤ）内に挿入される。これは、単一のサブピクチャストリームのみを許すように定義されたシステムについて、幾つかのサブピクチャストリームを可能とする。特にＤＶＤ−ＶＲは既に存在するＤＶＤ−ＶＲ使用と矛盾することが避けられる。従って、向上された本発明を使用するＤＶＤ−ＶＲ装置は、追加のサブピクチャストリーム記録し且つ再生することができ、そして、従来のＤＶＤ−ＶＲ装置は、単一のサブピクチャストリームに制限はされるが、互換性の問題なしに同じ信号を記録し且つ再生できる。
2004519175.tif 000002
【特許請求の範囲】
【請求項１】
サブピクチャデータは、サブピクチャユニット（ＳＰＵ）に組織化され、サブピクチャユニットは、画素データ領域（ＰＸＤ）内の画素データと、表示制御データ（ＳＰ＿ＤＣＳＱＴ）及び／又はアドレス情報データ（ＳＰＵＨ）とを有する、ビデオ信号に付随するサブピクチャデータの記録方法であって、第２のサブピクチャストリームのサブピクチャユニット（ＳＰＵＨ１、ＰＸＤ１、ＳＰ＿ＤＣＳＱＴ１）は、第１のサブピクチャストリームのサブピクチャユニット（ＳＰＵ）の画素データ領域（ＰＸＤ）内に挿入されることを特徴とする、ビデオ信号に付随するサブピクチャデータの記録方法。
【請求項２】
第１のサブピクチャストリームのサブピクチャユニット（ＳＰＵ）の画素データ領域（ＰＸＤ）は、第１のデータ領域（ＢＭ）の第１のサブピクチャストリームの画素データと、第２のデータ領域（ＳＳＰＵ）の追加のサブピクチャストリームの１つ又はそれ以上の追加のサブピクチャユニットを有する、請求項１に記載の方法。
【請求項３】
異なる追加のサブピクチャストリームに属する１以上のサブピクチャユニット（ＳＰＵＨ１，ＰＸＤ１，ＳＰ＿ＤＣＳＱＴ１、ＳＰＵＨ２，ＰＸＤ２，ＳＰ＿ＤＣＳＱＴ２）は、第１のサブピクチャストリームのサブピクチャユニット（ＳＰＵ）の画素データ領域（ＰＸＤ）に挿入される、請求項１或は２に記載の方法。
【請求項４】
１以上のサブピクチャユニット（ＳＰＵＨ１，ＰＸＤ１，ＳＰ＿ＤＣＳＱＴ１、ＳＰＵＨ２，ＰＸＤ２，ＳＰ＿ＤＣＳＱＴ２）は、第１のサブピクチャストリームのサブピクチャユニット（ＳＰＵ）の画素データ領域（ＰＸＤ）に、連続して配置される、請求項３に記載の方法。
【請求項５】
１以上のサブピクチャユニット（ＳＰＵＨ１，ＰＸＤ１，ＳＰ＿ＤＣＳＱＴ１、ＳＰＵＨ２，ＰＸＤ２，ＳＰ＿ＤＣＳＱＴ２）は、第１のサブピクチャストリームのサブピクチャユニット（ＳＰＵ）の画素データ領域（ＰＸＤ）に、インターリーブして配置される、請求項３に記載の方法。
【請求項６】
１以上のサブピクチャユニットについてのアドレス情報データ（ＳＰＵＨ１、ＳＰＵＨ２）が連続して配置され、１以上のサブピクチャユニットについての画素データ（ＰＸＤ１２）が続き、１以上のサブピクチャユニットについての表示制御データ（ＳＰ＿ＤＣＳＱＴ１、ＳＰ＿ＤＣＳＱＴ２）が順番に続く、請求項５に記載の方法。
【請求項７】
第３のサブピクチャストリームのサブピクチャユニット（ＳＰＵＨ３，ＰＸＤ３，ＳＰ＿ＤＣＳＱＴ３）は、第２のサブピクチャストリームのサブピクチャユニットの画素データ領域（ＰＸＤ１）に挿入される、請求項１乃至６のうちいずれか一項に記載の方法。
【請求項８】
画素データは、ビットマップ（ＢＭ）を構成し、ビットマップの部分（ＢＭ１）は、異なるサブピクチャストリームのサブピクチャユニットについて共通に使用される、請求項１乃至７のうちいずれか一項に記載の方法。
【請求項９】
１つ又はそれ以上の次の情報データ：
１つ又はそれ以上のサブピクチャユニットの画素データ領域への挿入を示す第１の情報データ（ＭＷ）と；
挿入された１つ又はそれ以上のサブピクチャユニットのサブピクチャストリームを示す第２の情報データ（ＢＦ）と；
挿入された１つ又はそれ以上のサブピクチャユニットの先頭を示す第３の情報データが、
第１のサブピクチャストリームのサブピクチャユニット（ＳＰＵ）の画素データ領域（ＰＸＤ）の先頭に挿入されている、請求項１乃至８のうちいずれか一項に記載の方法。
【請求項１０】
サブピクチャデータは、サブピクチャユニット（ＳＰＵ）に組織化され、サブピクチャユニットは、画素データ領域（ＰＸＤ）内の画素データと、表示制御データ（ＳＰ＿ＤＣＳＱＴ）及び／又はアドレス情報データ（ＳＰＵＨ）とを有する、ビデオ信号に付随するサブピクチャデータの再生方法であって、第２のサブピクチャストリームのサブピクチャユニット（ＳＰＵＨ１、ＰＸＤ１、ＳＰ＿ＤＣＳＱＴ１）は、第１のサブピクチャストリームのサブピクチャユニット（ＳＰＵ）の画素データ領域（ＰＸＤ）から抽出されることを特徴とする、ビデオ信号に付随するサブピクチャデータの再生方法。
【請求項１１】
１つ又はそれ以上のサブピクチャユニットの画素データ領域（ＰＸＤ）への挿入を示す第１の情報データ（ＭＷ）が分析され；
挿入されたサブピクチャユニットを示す場合には、挿入された１つ又はそれ以上のサブピクチャユニットのサブピクチャストリームを示す第２の情報データ（ＢＦ）が分析され、
現在のサブピクチャストリームのサブピクチャユニットが復号ユニットへフィードされる、請求項１０に記載の方法。
【請求項１２】
請求項１乃至１１に記載の方法を実行する記録及び／又は再生装置。
【請求項１３】
サブピクチャデータは、サブピクチャユニット（ＳＰＵ）に組織化され、サブピクチャユニットは、画素データ領域（ＰＸＤ）内の画素データと、表示制御データ（ＳＰ＿ＤＣＳＱＴ）及び／又はアドレス情報データ（ＳＰＵＨ）とを有する、ビデオ信号に付随するサブピクチャデータを有する信号であって、第２のサブピクチャストリームのサブピクチャユニット（ＳＰＵＨ１、ＰＸＤ１、ＳＰ＿ＤＣＳＱＴ１）は、第１のサブピクチャストリームのサブピクチャユニット（ＳＰＵ）の画素データ領域（ＰＸＤ）に埋め込まれていることを特徴とする、ビデオ信号に付随するサブピクチャデータを有する信号。
【請求項１４】
請求項１３に記載の信号を有するデータキャリア。
【発明の詳細な説明】
【０００１】
本発明は、ビデオ信号に付随するサブピクチャデータの記録及び再生方法に関連する。本発明は、更に、ビデオ信号に付随するサブピクチャデータの記録又は再生方法が使用された装置及び、及び、対応する信号及びデータキャリアに関連する。
【０００２】
従来の技術
ＤＶＤ−ビデオプレーヤは、ビデオ信号に、字幕、キャプション、メニュー、カラオケの歌詞又は、他の表示可能な情報を重ねる、サブピクチャストリームを使用する。３２のサブピクチャストリームまでが扱われ、サブピクチャユニット（ＳＰＵ）は、それぞれのサブピクチャストリームのアクセスユニットとして規定されている。
【０００３】
ＳＰＵは、３つの部分：
ａ）ＳＰＵＨ−サブピクチャユニットヘッダ、
ｂ）ＰＸＤ−画素データ、
ｃ）ＳＰ＿ＤＣＳＱＴ−サブピクチャ表示制御シーケンステーブル、
から構成される。
【０００４】
ＳＰＵＨは、全体のＳＰＵのサイズと、ＳＰ＿ＤＣＳＱＴの開始位置を含む。ＰＸＤは、ラン長圧縮されたビットマップを含む。ＳＰ＿ＤＣＳＱＴは、サブピクチャサイズとスクリーン上の位置、サブピクチャの使用される色と透明度を定義するコマンドシーケンスを含む。
【０００５】
サブピクチャユニットの構造に関する更なる詳細は、ＤＶＤ−ビデオのＤＶＤ規格の、９６年８月の、読み出し専用ディスクについてのＤＶＤ仕様、パート３ビデオ仕様、第１．０版、セクション５．４．３サブピクチャユニット（ＳＰＵ）に記載されている。
【０００６】
ＤＶＤディスクに記録するために、ＰＣ又は民生電子品の分野で一般的な読み出し及び書き込みアプリケーションとしても動作するＤＶＤ−ＲＡＭ及び、ＤＶＤ＋ＲＷ、ライトワンスレコーダブルメディアについて使用されるＤＶＤ−Ｒ及び、ＤＶＤ−Ｒの再書き込み可能なものであるＤＶＤ−ＲＷのような、幾つかの更なる仕様が定義されている。これらの仕様は、いわゆるＤＶＤ−ＶＲのためのビデオ信号を記録するための特別な仕様だけでなく、物理的なパラメータとそれぞれのディスクのファイルシステムを記述する。ＤＶＤ−ＶＲの制限の１つは、同時に１つのサブピクチャストリームのみが許されていることである（リライタブル／リレコーダブル／レコーダブルディスク仕様、パート３  ビデオ記録、第１．２版、パート３，４．２．２  ムービーＶＯＢストリーム情報、  （ＲＢＰ  ３）ＳＰＳＴ＿Ｎｓを参照）。
【０００７】
発明の概要
本発明の目的は、ビデオ信号に付随するサブピクチャデータを記録する方法を開示することであり、その方法はシステムに１つ以上のサブピクチャストリームを可能とし、それは単一のサブピクチャストリームのみを許すように定義される。この目的は、請求項１に記載されている方法により達成される。
【０００８】
本発明は、以下の事実の認識に基づいている。サブピクチャ表示制御コマンドシーケンステーブルＳＰ＿ＤＣＳＱＴは、画素データフィールドＰＸＤの使用される領域を定義するので、画素データフィールドＰＸＤの一部のみ使用するそのようなサブピクチャ表示制御コマンドシーケンステーブルＳＰ＿ＤＣＳＱＴを発生することも可能である。更に、大部分の市販のＤＶＤビデオディスクのサブピクチャユニットは、全部の画素データフィールドＰＸＤを使用しないが、しかし、それにも関わらず、市場のＤＶＤプレーヤにより扱われることが可能である。従って、ビットマップについて使用されない画素データフィールドＰＸＤの部分は、他の目的に使用できる。
【０００９】
本発明に従って、サブピクチャデータは、サブピクチャユニットに組織化され、サブピクチャユニットは、画素データ領域内の画素データと、表示制御データ及び／又はアドレス情報データとを有し、第２のサブピクチャストリームのサブピクチャユニットは、第１のサブピクチャストリームのサブピクチャユニットの画素データ領域内に挿入される。
【００１０】
これは、単一のサブピクチャストリームのみを許すように定義されたシステムについて、幾つかのサブピクチャストリームを可能とする。特にＤＶＤ−ＶＲは既に存在するＤＶＤ−ＶＲ使用と矛盾することが避けられる。従って、向上された本発明を使用するＤＶＤ−ＶＲ装置は、追加のサブピクチャストリーム記録し且つ再生することができ、そして、従来のＤＶＤ−ＶＲ装置は、単一のサブピクチャストリームに制限はされるが、互換性の問題なしに同じ信号を記録し且つ再生できる。例えば、向上された本発明を使用するＤＶＤ−ＶＲ装置は、異なる言語の字幕についての幾つかのサブピクチャストリームを含むＤＶＤ−ビデオディスクから、ＤＶＤビデオ記録ディスクへ、映画をコピーすることを許す。
【００１１】
本発明の方法を実行する対応する記録及び／又は再生装置は、請求項１２に記載され、対応する信号とその信号を含むデータキャリアは、請求項１３と１４にそれぞれ記載されている。
【００１２】
本発明の優位な更なる実施例は、それぞれの従属請求項に開示されている。
【００１３】
本発明の例示的な実施例は、図面で説明されそして、以下の記載で詳細い説明される。
【００１４】
本発明の例示的な実施例
図１は、主サブピクチャユニットＳＰＵの構造を示す。導入部ののＤＶＤ−ビデオ規格に規定されているように、ヘッダ部ＳＰＵＨには、画素データフィールドＰＸＤが続きそして、最後にサブピクチャ表示制御コマンドシーケンステーブルＳＰ＿ＤＣＳＱＴが続く。画素データフィールドＰＸＤは、上述の規格に規定されているように、主サブピクチャユニットＳＰＵについての画素データのみを含みうる。この場合には、サブピクチャユニットの画素データは、サブピクチャの表示されるパターンを決定する。サブピクチャの行の各画素について、データワードの２ビット幅が、その画素が、キャラクター画素か又は、背景画素か又は、画素は、第１の方法又は第２の方法でハイライトされるかを規定する。個々の画素データは、この純粋な形式では格納されないが、ラン長符号化を使用して圧縮された形式で格納される。しかしながら、本発明に従って、更なるサブピクチャユニットが、主サブピクチャユニットＳＰＵの画素データに加えて又は、全体的にこれらの画素データを置き換えることのいずれかで、画素データフィールドＰＸＤに配置される。
【００１５】
図２は、更に詳細に、他のサブピクチャユニットを含む主サブピクチャユニットＳＰＵの構造を示す。主サブピクチャユニットＳＰＵの画素データフィールドＰＸＤは、データ領域ＳＳＰＵ内のいくつかの追加のサブサブピクチャユニットと主サブピクチャの画像内容を含むラン長圧縮されたビットマップＢＭを含む。サブピクチャ表示制御シーケンステーブルＳＰ＿ＤＣＳＱＴは、サイズとスクリーン上の位置、主サブピクチャの使用される色及び透明度を規定するコマンドシーケンスを含む。
【００１６】
データ領域ＳＳＰＵには、２つの追加のサブサブピクチャユニットが挿入され、各々は、サブピクチャ表示制御コマンドシーケンステーブルＳＰ＿ＤＣＳＱＴ１とＳＰ＿ＤＣＳＱＴ２だけでなく、ヘッダ部ＳＰＵＨ１とＳＰＵＨ２、画素データフィールドＰＸＤ１とＰＸＤ２とにより、それぞれ、構成される。第１の追加のサブピクチャユニットは、ビットマップのための画素データフィールドＰＸＤ１の一部のみを使用する。画素データフィールドＰＸＤ１の残りの部分には、ヘッダ部分ＳＰＵＨ３、画素データフィールドＰＸＤ３及び、サブピクチャ表示制御コマンドシーケンステーブルＳＰ＿ＤＣＳＱＴ３より構成される、第３のサブピクチャユニットが挿入される。
【００１７】
現在のＤＶＤサブピクチャ復号器は、図２により記載されたフォーマットのサブピクチャユニットだけでなく、図１により記載されたフォーマットのサブピクチャユニットを表示できる。これは、図２により記載されたフォーマットは、図１により記載された現在のフォーマットを扱える、全てのプレーヤに互換性があることを意味する。しかしながら、現在のプレーヤは、主サブピクチャのみを再生でき、主サブピクチャユニットの内側のサブサブピクチャを再生できない。
【００１８】
ＤＶＤ−ＶＲ装置のための実行の実施例については、これは、次を意味する：規定されたＤＶＤ−ＶＲは、ビデオオブジェクト当り１つのサブピクチャストリームのみが許される。しかしながら、図２は、従来のＤＶＤ−ＶＲ装置と矛盾せずに、ＤＶＤ−ＶＲでそのような向上されたサブピクチャユニットを実行できる方法を示す。従って、向上されたＤＶＤ−ＶＲ装置は、ビデオオブジェクト当り３２のサブピクチャストリームまでを扱うことができる。これは、ＤＶＤ−ＶＲに、全ての字幕を含むＤＶＤビデオディスクから映画をコピーすることを可能とする。
【００１９】
インターレースされたサブサブピクチャユニットを有するサブピクチャユニットの構造が、図３に示されている。図２のように、ヘッダ部ＳＰＵＨ１とＳＰＵＨ２と、サブピクチャ表示制御コマンドシーケンステーブルＳＰ＿ＤＣＳＱＴ１とＳＰ＿ＤＣＳＱＴ２を有する２つの追加のサブサブピクチャユニットが、データ領域ＳＳＰＵに挿入されている。両方のサブピクチャユニットは、共通の画素データフィールドＰＸＤ１２にアクセスする。しかしながら、サブサブピクチャユニットは、インターレースされた方法で配置されている。それぞれのヘッダ部ＳＰＵＨ１とＳＰＵＨ２は連続して組織化され、画素データフィールドＰＸＤ１２が続き、順番に連続してサブピクチャ表示制御コマンドシーケンステーブルＳＰ＿ＤＣＳＱＴ１とＳＰ＿ＤＣＳＱＴ２が続く。これは、サブピクチャユニットのサイズの半分と等しいか又はそれより小さく無ければならないサブピクチャ表示制御コマンドシーケンステーブルＳＰ＿ＤＣＳＱＴのサイズの規格化された上限により必要とされ得るスタッフィングバイトを避けることにより、全体の主サブピクチャユニットのサイズを減少させることを可能とする（９６年８月の、読み出し専用ディスクについてのＤＶＤ仕様、パート３ビデオ仕様、第１．０版、セクション５．４．３．１サブピクチャユニットヘッダ参照）。
【００２０】
全体のサブピクチャユニットのサイズ減少させる更なる可能性が、図４に示されている。サブサブピクチャユニットを有するサブピクチャユニットの構造は、図３の例と同様である。しかしながら、この例では、２つのサブサブピクチャユニットＳＳＰＵ１とＳＳＰＵ２は、サブピクチャ表示制御コマンドシーケンステーブルの異なる開始点を有するがしかし同じ終了点を有する。これは、連続する領域ＳＰ＿ＤＣＳＱＴ１とＳＰ＿ＤＣＳＱＴ１に、それぞれのサブピクチャユニットによってのみ各々が使用される、それぞれのサブピクチャ表示制御コマンドシーケンステーブルの第１の部分を挿入し、そして、両方のサブピクチャユニットで共通に使用される第２の部分を領域ＳＰ＿ＤＣＳＱＴ１２に挿入することにより達成される。
【００２１】
本発明は、タイトルデータ又は記録処理の日付と時間のような、これらのデータがビデオ映像に挿入されるか又はブランクであるかを選択する可能性と共に、追加の情報を記録するのにも使用できる。これらの機能は、ＤＶＤカムコーダのような携帯記録装置に特に有益であるが、しかし、ＤＶＤビデオレコーダのような固定の装置にも実装されうる。ユーザは、遠隔制御装置に統合されているキーボードを介して又は、他の入力手段を介して、例えば、タイトルのような、入力を実行できる。入力されたデータについてのサブピクチャユニットは、サブピクチャ符号化ユニット内で発生される。１日の時間データ及び日付の詳細は、装置内に実装されている実時間クロックにより送られる。
【００２２】
追加の情報を記録するために１つの主サブピクチャユニット内で４つの追加のサブサブピクチャユニットの組合せを使用する例は、図５に示されている。５つのサブピクチャユニットは、以下の同様なコンテンツを有する５つの異なるサブピクチャユニットを表示することを可能とする：
１．スクリーンの下部に、テキスト”ＴＨＯＭＳＯＮ  ｍｕｌｔｉｍｅｄｉａ”、
２．スクリーンの上部に、テキスト”１５ｔｈ  ｏｆ  Ｄｅｃｅｍｂｅｒ  １９９９”、
３．スクリーンの下部に、テキスト”１６：３４：５６”、
４．スクリーンの上部に、テキスト”１５ｔｈ  ｏｆ  Ｄｅｃｅｍｂｅｒ  １９９９  −  １６：３４：５６”、
５．スクリーンの上部に、テキスト”１５ｔｈ  ｏｆ  Ｄｅｃｅｍｂｅｒ  １９９９”そして、スクリーンの下部に、テキスト”１６：３４：５６”。
【００２３】
主サブピクチャユニットは、所定の順序で以下の部分より構成される：
１．主サブピクチャユニットＳＰＵのサブピクチャユニットヘッダＳＰＵＨ、
２．第１のサブサブピクチャユニットのサブピクチャユニットヘッダＳＰＵＨ１、
３．第２のサブサブピクチャユニットのサブピクチャユニットヘッダＳＰＵＨ２、
４．第３のサブサブピクチャユニットのサブピクチャユニットヘッダＳＰＵＨ３、
５．第４のサブサブピクチャユニットのサブピクチャユニットヘッダＳＰＵＨ４、
６．テキスト”１５ｔｈ  ｏｆ  Ｄｅｃｅｍｂｅｒ  １９９９  −  １６：３４：５６”のラン長圧縮されたビットマップＢＭ１、
７．上部のテキスト”１５ｔｈ  ｏｆ  Ｄｅｃｅｍｂｅｒ  １９９９  −  １６：３４：５６”と下部のテキスト”１６：３４：５６”の間の空の線のラン長圧縮されたビットマップＢＭ２、
８．テキスト”１６：３４：５６”のラン長圧縮されたビットマップＢＭ３、
９．テキスト”ＴＨＯＭＳＯＮ  ｍｕｌｔｉｍｅｄｉａ” のラン長圧縮されたビットマップＢＭ４、
１０．サブサブピクチャユニット４のサブピクチャ表示制御コマンドシーケンステーブルＳＰ＿ＤＣＳＱＴ４、これは、上述のＳＰＵ部分６から８のビットマップ部分ＢＭ１、ＢＭ２、ＢＭ３にアクセスし、そして、ビットマップ部分ＢＭ１のテキスト部分”−  １６：３４：５６”を見えなくするコマンドを含む、
１１．サブサブピクチャユニット３のサブピクチャ表示制御コマンドシーケンステーブルＳＰ＿ＤＣＳＱＴ３、これは、サブピクチャユニット部分６のビットマップＢＭ１にアクセスし、
１２．サブサブピクチャユニット２のサブピクチャ表示制御コマンドシーケンステーブルＳＰ＿ＤＣＳＱＴ２、これは、サブピクチャユニット部分８のビットマップＢＭ３にアクセスし、
１３．サブサブピクチャユニットＳＰＵ１のサブピクチャ表示制御コマンドシーケンステーブルＳＰ＿ＤＣＳＱＴ１、これは、サブピクチャユニット部分６のビットマップＢＭ１にアクセスし、そして、テキスト部分”−  １６：３４：５６”を見えなくするコマンドを含む、
１４．主サブピクチャユニットのサブピクチャ表示制御コマンドシーケンステーブルＳＰ＿ＤＣＳＱＴ、これは、サブピクチャユニット部分９のビットマップＢＭ４にアクセスする。
【００２４】
追加のサブピクチャストリームは、絶対記録時間と記録日付（例えば、スクリーンの上部に、テキスト”１５ｔｈ  ｏｆ  Ｄｅｃｅｍｂｅｒ”そして、スクリーンの下部に、テキスト”１６：３４：５６”）及びこのデータの変化及びユーザ定義の字幕を示すのに使用できる。この追加の情報は、ＭＰＥＧ符号化されたビデオデータを変更／破壊すること無しに、ユーザにより、オン又はオフできる。
【００２５】
主サブピクチャユニット内のサブサブピクチャユニットは、主サブピクチャユニットの外側のテーブルを使用して又は主サブピクチャユニット内の特別の制御情報を介して位置を決定される。そのような、特別な制御コマンドはつぎのようである：
１．全てのサブサブピクチャユニットの全てのサブピクチャユニットヘッダは、主サブピクチャユニットのサブピクチャユニットヘッダＳＰＵＨのすぐ後に、隣接して格納されねばならない。このＳＰＵＨシーケンス内の最後のサブピクチャユニットヘッダの後に、ＳＰＵＨシーケンスの終了を示すために、２つのゼロバイトが続く。この規則の知識で、主サブピクチャユニットの内側の各サブサブピクチャユニットの位置を定めるために、主サブピクチャユニットデータの外側の追加の情報は、不要である。
【００２６】
２．全てのサブサブピクチャユニットは、主サブピクチャユニットのサブピクチャユニットヘッダＳＰＵＨのすぐ後に連続して格納されねばならない。最後のサブサブピクチャユニットの後に、主サブピクチャユニットのラン長圧縮されたビットマップが続き、そして、主サブピクチャユニットのサブピクチャ表示制御コマンドシーケンステーブルＳＰ＿ＤＣＳＱＴが続く。
【００２７】
主サブピクチャユニット当りのサブサブピクチャユニットの数は、例えば、３２の数に制限される。主サブピクチャユニットのサブピクチャユニットヘッダＳＰＵＨの後に、例えば、４バイト＝３２ビットの、ビットフィールドが続く。このフィールドの各ビットは、このサブピクチャストリームのサブサブピクチャユニットがこの主サブピクチャユニットの内側に存在するかどうかを示す。このビットフィールドの後に、上述の制御コマンド点１と同様に、全てのサブサブピクチャユニットのサブピクチャユニットヘッダがすぐ後に続く。サブピクチャユニットヘッダの順序は、ビットフィールドに曖昧でない割り当てを得るために、昇順のサブピクチャストリーム番号であり、即ち、サブサブピクチャユニットは、この主サブピクチャユニットの内側に、ビットフィールドにより示されたサブピクチャストリームのみが存在する。
【００２８】
３．隣接するサブピクチャユニットヘッダシーケンスを避けるために、主サブピクチャユニットのサブピクチャユニットヘッダの後に、各サブサブピクチャユニットへのポインタリストを加えることも可能である。
【００２９】
４．主サブピクチャユニットのサブピクチャユニットヘッダのすぐ後のマジックワードは、この主サブピクチャユニットがサブサブピクチャユニットを含むか否かを示すことができる。このマジックワードは、従来のサブピクチャユニットとそのような向上されたサブピクチャユニットの間を区別する、そのような向上されたサブピクチャユニットデマルチプレクサに役立つ。従来の、サブピクチャユニットは、ＰＸＤデータ領域内に、正規でないラン長符号ワードを有しないので、マジックワードは、（例えば、２バイト値：第１バイトはゼロそして、第２バイトは３より大きい）１つ又はそれ以上の正規ではないラン長符号ワードよりなるべきである。例えば、マジック符号ワードは、次の６バイト：０  ８３  ０  ７２  ０  ７９より構成できる。
【００３０】
図６は、そのような特別な制御コマンドを使用する向上されたサブピクチャユニットの例を示す。主サブピクチャユニットのサブピクチャユニットヘッダＳＰＵＨの後に、６バイトのマジックワードＭＷ、即ち、０  ８３  ０  ７２  ０  ７９が続く。続く２バイトビットフィールドＢＦは、３２のサブピクチャストリームについて示し（ＭＳＢ＝サブピクチャストリーム１；ＬＳＢ＝サブピクチャストリーム３２）、サブピクチャユニットは伝送され、この場合には、値０１１１  ００１０  ００００  ００００ｂは、追加のサブピクチャストリーム２，３，４及び、７についてのサブピクチャユニットを示す。そして、（サブサブピクチャユニットが３２ビットフィールドにより示されているのと同じ数の）全ての発生するサブサブピクチャユニットのサブピクチャユニットヘッダＳＰＵＨ２、ＳＰＵＨ３、ＳＰＵＨ４、ＳＰＵＨ７のシーケンスが続き、そして、主及びサブサブピクチャユニットにより使用される全てのラン長圧縮されたビットマップ部ＢＭ１、ＢＭ２、ＢＭ３、ＢＭ４が続き、そして、全サブサブピクチャユニットと主サブピクチャユニットのサブピクチャ表示制御シーケンステーブルＳＰ＿ＤＣＳＱＴ７、ＳＰ＿ＤＣＳＱＴ４、ＳＰ＿ＤＣＳＱＴ３、ＳＰ＿ＤＣＳＱＴ２、ＳＰ＿ＤＣＳＱＴが続く。インターレースされたサブサブピクチャユニットとオーバーラップされたサブピクチャ表示制御シーケンステーブルが可能である。
【００３１】
主サブピクチャユニットは、常に、サブピクチャストリーム１についてのサブピクチャユニットである。ビットフィールドのＭＳＢが、サブサブピクチャユニットを示す場合には、このサブサブピクチャユニットは、サブピクチャストリーム１についてのサブピクチャユニットとして使用されねばならない。これは、従来のＤＶＤストリームデマルチプレクサに関してのように、向上されたＤＶＤストリームデマルチプレクサについて、（サブピクチャストリーム１を含めて）完全に異なるサブピクチャユニットの使用を、可能とする。
【００３２】
ユーザのために利便性を向上するために、ビデオオブジェクト内でサブサブピクチャユニットの発生を示すために、ある追加の情報がナビゲーションデータ内に記録され得る。そのような追加の情報の可能な位置は、次のようである：
１．ムービーＶＯＢストリーム情報Ｍ＿ＶＯＢ＿ＳＴＩ（ＤＶＤ−ＶＲ仕様１．０版、セクション４．２．２参照）：サブピクチャストリームの数は、可能なサブピクチャストリームの数（例えば、３２）を示すために使用されうる。ＤＶＤ−ＶＲ仕様は、この値を１に制限するが、１以外の他の値は特定のアプリケーションに使用できる。
【００３３】
２．ムービーＶＯＢストリーム情報Ｍ＿ＶＯＢ＿ＳＴＩ（ＤＶＤ−ＶＲ仕様１．０版、セクション４．２．２参照）：予約バイトの１つ（相対バイト位置１０から１１）は、主サブピクチャユニットのサブサブピクチャユニットとして実現される、サブピクチャストリームの最大数を示すのに使用できる。ＤＶＤ−ＶＲ仕様は、これらの予約された値を０に制限するが、従来のＤＶＤ−ＶＲストリームデマルチプレクサはそのようなテーブルでも問題はない。
【００３４】
この予約された領域は、ＩＤも有し、これは、例えば、言語を各サブピクチャストリームに割当てるテーブルような、製造者情報から追加の情報を選択する（以下の点３参照）。
【００３５】
３．製造者情報ＭＮＦＩ（ＤＶＤ−ＶＲ仕様のセクション４．７．３）：この位置は、サブピクチャストリームの最大数のような情報を格納するのにも使用される。例えば、各ビデオオブジェクトについてのサブピクチャストリームの数を有するテーブルのような、更に詳細な情報も可能であるがしかし、他のＤＶＤ−ＶＲ装置がこのビデオオブジェクトに関連された情報についての知識無しにナビゲーションデータを変更しうるので、扱うのが更に困難である。この詳細な情報は、他の（従来の）ＤＶＤ−ＶＲ装置によるディスクの編集後に、無効であろう（最新の情報でない）。しかしながら、この問題は、上述の点２で既に示されているように解決できる：Ｍ＿ＶＯＢ＿ＳＴＩ内のＩＤで、曖昧でない関係が、ＭＮＦＩと各Ｍ＿ＶＯＢ＿ＳＴＩの間で保持される。ＭＮＦＩ領域は、例えば、言語のような、多様なサブピクチャストリームの内容についての情報を保持するのにも使用される。それは、幾つかの言語の字幕を有するＤＶＤビデオディスクからＤＶＤ−ＶＲディスクへ映画をコピーするために、特に有益である。
【００３６】
本発明に従ったサブピクチャユニット構造の更に一般的な定義は、図１から４に示された例に対応する、図７から１０により記載されている。図７の主サブピクチャユニットＳＰＵの一般的な構造は、サブピクチャユニットヘッダ部ＳＰＵＨと、それに続く画素データフィールドＰＸＤ及び、サブピクチャ表示制御コマンドシーケンステーブルＳＰ＿ＤＣＳＱＴを示す。図８は、更に詳細に、画素データフィールドＰＸＤ内の構造を示す。画素データフィールドＰＸＤは、画像内容を有するビットマップＢＭ、サブピクチャユニットＳＰＵ及び、任意の順序の他のデータＯ含むみうる。図３と図４に示された例に対応するサブピクチャユニットのメモリ最適化された符号化のためのサブピクチャユニット構造の更に一般的な定義は、図９に示されている。この場合には、サブピクチャユニットヘッダ部ＳＰＵＨには、更なるサブピクチャユニットヘッダＳＰＵＨ、ビットマップＢＭ、サブピクチャ表示制御コマンドシーケンステーブルＳＰ＿ＤＣＳＱＴ及び、他のデータＯの任意のシーケンスが続く。最後に、図１０は、図６に示された例示の構造の更に一般的な定義を示す。主サブピクチャユニットのサブピクチャユニットヘッダＳＰＵＨの後に、マジックワードＭＷ、伝送されたサブピクチャストリームを示すビットフィールドＢＦ、そして、サブピクチャユニットヘッダＳＰＵＨのシーケンスと、最後にサブピクチャ表示制御コマンドシーケンステーブルＳＰ＿ＤＣＳＱＴとビットマップＢＭのシーケンスが続く。
【００３７】
しかしながら、ＳＰＵＨ、ＰＸＤ及びＳＰ＿ＤＣＳＱＴの厳格な分離を要求するサブピクチャユニット復号器については、完全に各ＳＰＵ（主及びサブＳＰＵ）を、そのＳＰＵのＳＰＵＨとＳＰ＿ＤＣＳＱＴの間に置くことが推奨される。
【００３８】
図１１は、あるサブピクチャストリームを検出する方法のフローチャートを示す。開始Ｓの後に、ステップＭＷ？で現在のサブピクチャユニットが、例えば、値０  ８３  ０  ７２  ０  ７９を有するマジックワードを含むかどうか検査される。そのようなマジックワードが検出された場合には、例えば、２バイトのビットフィールドの形式の次のサブピクチャストリームマップが、次のステップＧ＿Ｓ＿Ｍで、サブピクチャユニットから抽出される。そうでない場合には、ステップＳ＿Ｓ＿Ｍで、ストリームマップは、値１０００  ００００  ００００  ００００ｂに設定され、これは、サブピクチャストリーム１についてのサブピクチャユニットのみが存在することを示す。次のステップＳＰＵ＿Ｓ＿？では、例えば、ユーザにより要求された特定の言語の字幕のような、現在のサブピクチャストリームのサブピクチャユニットが含まれているかが検査される。現在のサブピクチャストリームのそのようなサブピクチャユニットが検出された場合には、このサブピクチャユニット即ち、対応するサブピクチャユニットヘッダ、画素データ及び、サブピクチャ表示制御シーケンステーブルは、従来のサブピクチャ復号ユニットへ送られる。この後に、検出処理は、開始Ｓへ戻ることにより、繰返される。
【００３９】
図１２は、特定のサブピクチャストリームを検出する対応する装置の概略のブロック図を示す。
【００４０】
入力するサブピクチャユニットは、マジックワード分析器ユニットＭＷ＿Ｐにより、マジックワードについて分析され、そして、その後に、選択器ユニットＳＰＵ＿Ｓへ転送される。選択器ユニットＳＰＵ＿Ｓは、現在のサブピクチャストリームのサブピクチャユニットを分離し、そして、これらの分離されたサブピクチャユニットを従来のサブピクチャ復号器ＳＰＵ＿ＤＥＣへフィードする。選択処理のために、選択器ユニットＳＰＵ＿Ｓは、しかしながら、サブピクチャユニットがそのようなサブサブピクチャユニットを含むときにのみ、さらなる分析ユニットＳＰＵ＿Ｃから現在のサブピクチャユニット番号ＳＰＵ＿ＮＯを受信する。この目的のために、分析ユニットＳＰＵ＿Ｃは、例えば、入力された選択コマンドに対応する現在のサブピクチャユニット番号ＳＰＵ＿ＮＯと、マジックワード分析器ユニットＭＷ＿Ｐからのサブピクチャストリームマップを受信する。これは、サブピクチャ復号器ユニットが、入力に従って、サブピクチャユニットを復号することを可能とする。サブピクチャ復号ユニットは、そして、復号されたデータを全体のビデオ画像のためのビットストリームへ挿入する。
【００４１】
サブピクチャストリームを含むビデオデータは、例えば、ＤＶＤディスクのような光学的記録ディスクにより供給されることができるが、しかし、例えば、ビデオカメラ、又は、広帯域ケーブル又は、衛星受信器又は地上波受信のためのアンテナのような、他の適切なデータ源からも発せられることが可能である。
【００４２】
本発明は、例えば、ＤＶＤビデオレコーダ又はＤＶＤカムコーダで実行されることが可能である。また、ＤＶＤオーディオレコーダについての使用も、ディスプレイを介して、タイトルの詳細等を出力するために、可能である。しかしながら、本発明は、この制限を回避するために、単一のサブピクチャストリームのみが許されるように定義されている、他のどのような装置でも使用されることが可能である。
【図面の簡単な説明】
【図１】
ＤＶＤビデオ規格に従ったサブピクチャユニットの構造を示す図である。
【図２】
他のサブピクチャユニットを含むサブピクチャユニットの本発明の実施例の構造を示す図である。
【図３】
インターレースされたサブピクチャユニットを有するサブピクチャユニットの更なる本発明の実施例の構造を示す図である。
【図４】
減少されたサイズの主サブピクチャユニットを有するサブピクチャユニットの更なる本発明の実施例の構造を示す図である。
【図５】
１つの主サブピクチャユニット内の５つの異なるサブピクチャユニットの結合を有する例の構造を示す図である。
【図６】
特に制御コマンドを含む、さらに詳細な図５の例を示す図である。
【図７】
図１に従ったサブピクチャユニットの信号構造を発生するフロー図を示す図である。
【図８】
図２に従ったサブピクチャユニットの信号構造を発生する一般化されたフロー図を示す図である。
【図９】
図３に従ったサブピクチャユニットの信号構造を発生する一般化されたフロー図を示す図である。
【図１０】
図４に従ったサブピクチャユニットの信号構造を発生する一般化されたフロー図を示す図である。
【図１１】
あるサブピクチャストリームを検出する方法のフローチャートを示す図である。
【図１２】
あるサブピクチャストリームを検出する装置の概略ブロック図を示す図である。
【国際公開パンフレット】
2004519175.tif 000003
2004519175.tif 000004
2004519175.tif 000005
2004519175.tif 000006
2004519175.tif 000007
2004519175.tif 000008
2004519175.tif 000009
2004519175.tif 000010
2004519175.tif 000011
2004519175.tif 000012
2004519175.tif 000013
2004519175.tif 000014
2004519175.tif 000015
2004519175.tif 000016
2004519175.tif 000017
2004519175.tif 000018
2004519175.tif 000019
2004519175.tif 000020
2004519175.tif 000021
2004519175.tif 000022
2004519175.tif 000023
2004519175.tif 000024
2004519175.tif 000025
2004519175.tif 000026
2004519175.tif 000027
2004519175.tif 000028
2004519175.tif 000029
【国際調査報告】
2004519175.tif 000030
2004519175.tif 000031